(57)【要約】【課題】陳列ユニットを垂直方法及び／又は水平方向に自由に連結して、専門業者によらずに、傾斜棚を形成できる。【解決手段】垂直支持板１の上下端部に、物品収容具２２を挟んで上下水平支持板２４を突設し、陳列ユニット２６を構成する（ａ）。垂直支持板１は上下端に、透孔６付きの凸部、凹部からなり互いに嵌合できる第２連結部８、第１連結部７を有する。物品収容具２２は、並列した前板１２、後板１５を奥板１８で連結して一側に開口２３を形成し、手前側に開口２３を向けて、物品取出方向３５を角度θで配置する（ａ）。水平方向に陳列ユニット２６を重ねると、左右に隣接する陳列ユニット２６、２６で、左側の物品収容具２２の奥板１８付近に、右側の開口２３が位置する。左側の前板１２と右側の後板１５とが、一直線状につながり、収容する物品３４を物品収容具２２内に出し入れし易い（ｂ）。【選択図】図３
2005218576.tif 000002
【特許請求の範囲】
【請求項１】
支持壁面に取付ける陳列棚であって、以下のように構成したことを特徴とする組立式の陳列棚。
(1) 前記支持壁面との固定手段を有する水平支持板上に、奥部を前記支持壁面側に向け、正面側に開口を向けた物品収容具を固定して、陳列ユニットを形成する。
(2) 前記物品収容具は、前記奥部から前記開口に向けて物品引出方向を設定する。
(3) 前記物品引出方向と前記支持壁面とが為す角をθとし、該角θを一致させた複数の陳列ユニットを、垂直方向及び／又は水平方向に重ねると共に、前記固定手段を介して前記支持壁面に取り付けて、陳列棚を構成する。
【請求項２】
水平方向に連結した陳列ユニットは、隣接する陳列ユニットで、一側の物品収容具の開口を、他の陳列ユニットの物品収容具の奥部近傍であって、かつ前記奥部より正面側に配置したことを特徴とする請求項１記載の組立式の陳列棚。
【請求項３】
支持壁面に取付けることができ、以下の構成としたことを特徴とする陳列ユニット。
(1) 前記支持壁面との固定手段を有する略長方形の水平支持板を形成する。
(2) 前記水平支持板上に、奥部から開口に向けて物品取り出し方向を形成した物品収容具を固定する。
(3) 前記水平支持板の略対角線方向に沿って、前記物品収容具の物品取出口を、前記支持壁面から離れる側である正面側に向けて配置した。
【請求項４】
同形同大の水平支持板から上水平支持板及び下水平支持板を形成し、物品収容具の上下に夫々固定したことを特徴とする請求項３記載の陳列ユニット。
【請求項５】
陳列ユニットは、下水平支持板に第１連結部を連設し、上水平支持板に前記第１連結部と嵌合できる第２連結部を連設し、前記第１連結部及び／又は第２連結部に、固定手段を形成したことを特徴とする請求項４記載の陳列ユニット。
【発明の詳細な説明】
【技術分野】
【０００１】
この発明は、複数のユニットを組み合わせて構成する組立式の陳列棚、及びこの陳列棚を構成する陳列ユニットに関する。
【背景技術】
【０００２】
デパートや旅行代理店等で、収容部を斜めに形成したいわゆる傾斜棚と称する陳列棚が使用されていた。傾斜棚は、雑誌やパンフレット等を主に陳列するために用いられ、収容スペースは、ガラス板やアクリル板により形成され、収容スペースを含めて全体が１つの家具として一体に形成されていた。従って、専門業者によってのみ製造が可能であり、別注品として特別な形状・大きさを特定して注文するしか入手方法が無かった。また、ガラスやアクリル等の一体方の成型品であるため、収容スペース（段数）の追加や削除等の改造は不可能であった。
【０００３】
このような不都合を解消するために、ユニット化する試みもなされていたようであるが、水平方向に隣接する収容部（ポケット）の重なり構造が複雑であり、製品化に至っていなかった。
【０００４】
一般に、ユニット化した陳列棚として、提案されている発明はあった。例えば、水平支持板、前面板、仕切板とを接合してなり、水平支持板の係止孔に仕切り板の楔状の係止部片を係挿して、構成する陳列棚が提案されていた（特許文献１）。また、収容部となる凹部を有する棚を階段状に多数連結して幅方向の商品陳列モジュールを形成し、商品陳列モジュールを支持体に取り付けて、陳列装置を構成していた（特許文献２）。
【特許文献１】特開平４−３２２６１４
【特許文献２】特開平６−１９７８２９
【発明の開示】
【発明が解決しようとする課題】
【０００５】
前記従来の陳列棚や陳列装置では、傾斜棚のユニット化に応用できなかった。とりわけ、これらの発明では、組立が容易でなく、また陳列物を収容する収容具を任意に配置する自由度が確保できなかった。
【課題を解決するための手段】
【０００６】
然るに、この発明は、支持壁面と所定角度θを成す物品引出方向を設定した物品収容具を形成した陳列ユニットを構成し、この陳列ユニットを組み合わせて陳列棚を構成したので、前記問題点を解決した。
【０００７】
即ちこの発明は、支持壁面に取付ける陳列棚であって、以下のように構成したことを特徴とする組立式の陳列棚である。  
(1) 前記支持壁面との固定手段を有する水平支持板上に、奥部を前記支持壁面側に向け、正面側に開口を向けた物品収容具を固定して、陳列ユニットを形成する。  
(2) 前記物品収容具は、前記奥部から前記開口に向けて物品引出方向を設定する。  
(3) 前記物品引出方向と前記支持壁面とが為す角をθとし、該角θを一致させた複数の陳列ユニットを、垂直方向及び／又は水平方向に重ねると共に、前記固定手段を介して前記支持壁面に取り付けて、陳列棚を構成する。
【０００８】
また、前記において、水平方向に連結した陳列ユニットは、隣接する陳列ユニットで、一側の物品収容具の開口を、他の陳列ユニットの物品収容具の奥部近傍であって、かつ前記奥部より正面側に配置したことを特徴とする組立式の陳列棚である。
【０００９】
また、他の発明は、支持壁面に取付けることができ、以下の構成としたことを特徴とする陳列ユニットである。  
(1) 前記支持壁面との固定手段を有する略長方形の水平支持板を形成する。  
(2) 前記水平支持板上に、奥部から開口に向けて物品取り出し方向を形成した物品収容具を固定する。  
(3) 前記水平支持板の略対角線方向に沿って、前記物品収容具の物品取出口を、前記支持壁面から離れる側である正面側に向けて配置した。
【００１０】
また、前記において、同形同大の水平支持板から上水平支持板及び下水平支持板を形成し、物品収容具の上下に夫々固定したことを特徴とする陳列ユニットである。更に、陳列ユニットは、下水平支持板に第１連結部を連設し、上水平支持板に前記第１連結部と嵌合できる第２連結部を連設し、前記第１連結部及び／又は第２連結部に、固定手段を形成したことを特徴とする陳列ユニットである。
【００１１】
前記における水平支持板は、主に長方形であるが、長方形の角部を丸めた形状、このような長方形に内接又は外接できる平行四辺形、楕円、半円等とすることもできる。
【００１２】
また、前記における「支持壁面」とは、建物の壁・間仕切り壁・その他のほぼ垂直面な面で、陳列ユニットを設置する面を指す。
【００１３】
また、前記における「支持壁面との固定手段」とは、個々の陳列ユニットを支持壁面に固定するための手段であり、例えば、釘やビスを挿通する透孔、係止爪等を指す。
【発明の効果】
【００１４】
この発明は、陳列棚では、固定手段を有し、物品引出方向と支持壁面とが所定角度θを成す陳列ユニットを使用したので、上下、左右、上下左右など任意の数の陳列ユニットを使用して、支持壁面に陳列棚を構成できる。また、個々の陳列ユニットが独立して、物品収容具や支持壁面との固定手段を有するので、陳列ユニットの組合せの自由度が高く、任意の陳列棚を構成できる。従って、注文製品ではなく既製品として販売することができると共に、専門業者に依頼せずに、組立に熟練技術を要せず、ユーザーが容易に組立でき、また、移設や増設も容易である。
【００１５】
また、部品点数も少なく、構造を単純化できたので、金型成形品として大量生産すれば、製造原価も安くでき、普及させることもできる。
【００１６】
また、物品取出方向を支持壁面と所定角度に形成したので、陳列ユニットを重ねた場合であっても、隣接する陳列ユニットで物品収容具を相互に利用して一体の陳列棚を構成できる。また、物品収容具を透明材料から構成すれば正面側からの物品の目視も容易であり、かつ平面面積に較べて多くの物品を収容できる効果がある。
【００１７】
また、水平方向に連結した陳列ユニットにおいて、隣接する陳列ユニットで、一側の物品収容具の開口を、他の陳列ユニットの物品収容具の奥部近傍であって、かつ前記奥部より正面側に配置した場合には、水平方向で物品収容具の開口が重ならず、物品の出し入れが容易となる効果がある。
【発明を実施するための最良の形態】
【００１８】
(1) 垂直支持板１の上下端部に、長方形の上水平支持板２４、下水平支持板１０を夫々突設する。垂直支持板１で、下水平視支持板１０の下方に、凸部４、凹部５からなる第１連結部７を形成する。垂直支持板１で、上水平視支持板１０の下方に、凹部５ａ、凸部４ａからなる第２連結部８を形成する。第２連結部８の凸部４ａに、壁面３２にビス止めするための透孔６を形成する。
【００１９】
並列した前板１２、後板１５を、一側で奥板１８を固定して連結し、他側に開口２３を形成した平面視で略コ字状の物品収容具２２を構成する。上下水平板２４、１０間に物品収容具２２を設置する。物品収容具２２は、手前側（垂直支持板１から離れる側）に開口２３を向け、上下水平支持板２４、１０の略対角線方向に配置される。以上のようにして、陳列ユニット２６を構成する（図２）。
【００２０】
物品収容具２２は、奥側（垂直支持板１に近い側）から開口２３側に向けて、物品取出方向３５とする。物品収容具の物品取出方向３５、即ち前板１２、後板１５は、垂直支持板１（即ち、壁面３２）と所定角度θで配置される。
【００２１】
(2) 陳列ユニット２６、２６を垂直方向及び／又は水平方向に重ねて組み立て、陳列棚３０を形成する（図４〜図７）。
【００２２】
垂直方向に重ねた場合には、上下に隣接する陳列ユニット２６、２６の第１連結部７と第２連結部８の凹部、凸部が互いに嵌合する。
【００２３】
水平方向に重ねた場合には、左右に隣接する陳列ユニット２６、２６で、左側の陳列ユニット２６の物品収容具２２の奥板１８付近に、右側の陳列ユニット２６の物品収容具２２の開口２３が位置する。即ち、左側の陳列ユニット２６の前板１２と、右側の陳列ユニット２６の後板１５とが、隙間無く一直線状につながり、正面側の面が面一に形成される。従って、収容する物品３４、３４を物品収容具２２内に出し入れし易い。
【００２４】
(3) 水平方向に連結する場合、最も開口２３側に位置する陳列ユニットは、上下水平支持板１０、２４、垂直支持板１を、開口２３側に延長してなる端部タイプの陳列ユニット２８を使用することもできる（図１、図３等）。
【実施例１】
【００２５】
図面に基づきこの発明の実施例を説明する。支持壁面として、壁面３２に適用した。
【００２６】
［１］標準タイプの陳列ユニット２６の構成
【００２７】
(1) 設置する壁面３２に当接できる垂直支持板１の下端部、上端部に夫々下水平支持板１０、上水平支持板２４を夫々固定する（図２、図８（ｂ））。
【００２８】
上下水平支持板１０、２４の距離は長さＨ（上水平支持板２４の下面〜下水平支持板の長さ）で配置され、垂直支持板１は、幅Ｌ１で形成されている。上水平支持板１０は、いずれも長辺が幅Ｌ１、短辺が幅Ｌ２の長方形で形成されている（図２（ｂ）（ｅ））。
【００２９】
(2) 平行に配置した前板１２と後板１５とを、奥側の縁１４、１７に奥板１８を固定して、互いに連結して、奥側を塞いで、平面視でコ字状の物品収容具２２を形成する。物品収容具２２の奥板１８を固定した側の反対側は塞がず、開口２３とする。前板１２の奥側の縁１４の反対側の縁を開口の縁１３とする。また、後板１５の奥側の縁１７の反対側の縁を開口側の縁１６とする。後板１５と前板１２の距離、即ち奥板１８の幅を物品収容具２２の幅（厚さ）をＤ１とする。
【００３０】
物品収容具２２の奥板１８から開口２３に向けて、物品取出方向３５を設定する。物品取出方向３５は、前板１２及び後板１５と平行に形成される。また、前板１２の開口側の縁１３の中央部に円弧状の切欠き２１が形成されている。
【００３１】
(3) 下水平支持板１０の上面１０ａに、物品取出口方向３５を設置予定の壁面３２と成す角をθとなるように、斜めに物品収容具２２を固定する。即ち、前板１２及び後板１５と、壁面３２とも角θで配置される。従って、物品収容具２２は、下水平支持板１０の略対角線方向に配置される（図２（ｄ）（ｅ））。
【００３２】
また、物品収容具２２の後板１５の奥側の縁１７（即ち、奥板１８の後側の縁２０）が垂直支持板１に当接している。即ち、奥側の縁１７（即ち、奥板１８の後側の縁２０）の平面視の位置が、下水平支持板１０の奥側の縁１１ｃ（長辺）に一致している（図２（ｅ））。
【００３３】
また、後板１５の開口側の縁１６の平面視での位置は、下水平支持板１０の開口側の縁（短辺）１１に一致あるいは、若干離れており、開口側の縁１１付近に位置している（図２（ｅ））。
【００３４】
また、前板１２の開口側の縁１３の平面視での位置は、下水平支持板１０の開口側の縁（短辺）１１より外方に突出している。また、前板１２の開口側の縁１３の平面視での位置は、下水平支持板１０の前側の縁（長辺）１１ｂと一致し、あるいは若干離れて配置され、下水平支持板１０の前側の縁（長辺）１１ｂ付近に位置している（図２（ｅ））。
【００３５】
また、前板１２の奥側の縁１１ａ（奥板１８の前側の縁１９）の平面視での位置は、下水平支持板１０の奥側の縁１１ａ（短辺）に一致している（図１（ｅ））。
【００３６】
(4) 上水平支持板２４は、下水平支持板１０と同一形状・大きさで、平行に配置され垂直支持板１に固定されているので、上水平支持板２４と物品収容具２２（前板１２、後板１８、奥板１８）との位置関係は、下水平支持板１０と物品収容具２２との位置関係と同一に形成される（図示していない）。
【００３７】
(5) 垂直支持板１の下端部で、下水平支持板１０の下面１０ｂに下方に向けた凸部４、下水平支持板１０の下面１０ｂから上方に向けた凹部（切欠き部）５が形成され、奥側の側縁２から凹部５、凸部４、凹部５、凸部４の順に形成されている（第１連結部７）。凸部４の高さ、凹部５の深さは長さＬ３で形成され、幅はいずれもＤ２で形成されている（図２（ｂ））。
【００３８】
また、同様に、垂直支持板１の上端部で、上水平支持板２４の上面２４ａから上方に向けた凸部（幅Ｄ２、高さＬ３）４ａ、凹部（幅Ｄ２、深さＬ３）５ａが形成され、奥側の縁３から凸部４ａ、凹部５ａ、凸部４ａ、凹部５ａの順に形成されている（第２連結部８）。
【００３９】
また、凸部４、４ａに、ビス等を通すための透孔６が夫々形成されている。
【００４０】
(6) 以上のようにして、標準タイプの陳列ユニット２６を構成する（図２）。前記において陳列ユニット２６を同一平面位置で、上下に重ねた場合、上側に位置する陳列ユニット２６の垂直支持板１の下端部の第１連結部（凹部５、凸部４、凹部５、凸部４の順に形成されている）と、下側に位置する陳列ユニット２６の垂直支持板１の上端部の第２連結部（凸部４ａ、凹部５ａ、凸部４a、凹部５ａの順に形成されいる）とは、凸部４と凹部５ａ、凹部５と凸部４ａとが互いに嵌合できるようになっている。
【００４１】
従って、実際の製品においては、凸部４、４ａの大きさ（Ｌ３、Ｄ２）と凹部５、５ａの大きさ（Ｌ３、Ｄ２）は、必ずしも同一ではなく、製品誤差や組立作業効率等を考慮して、凸部のＬ３≦凹部のＬ３、凸部のＤ２≦凹部のＤ２、となっている。
【００４２】
［２］端部タイプの陳列ユニット２８の構成
【００４３】
(1) 端部タイプの陳列ユニット２８は、標準タイプの陳列ユニット２６の開口側で、上下水平支持板１０、２４、垂直支持板１及び物品収容具２２を外方に延長した形状となっている。
【００４４】
即ち、端部タイプの陳列ユニット２８の下水平支持板１０は、標準タイプの陳列ユニット２６で、下水平支持板１０の開口側の縁１３ａ（鎖線図示）を長さＬ５だけ外方に延長して、幅Ｌ４で形成する（図８（ａ）、図１（ｂ）（ｅ））。また、同様に、上水平支持板２４も、同様に、標準タイプの陳列ユニット２６の場合より、端縁を長さＬ５だけ外方に延長して、幅Ｌ４で形成する（図示していない）。
【００４５】
また、端部タイプの陳列ユニット２８の垂直支持板１は、標準タイプの陳列ユニット２６で垂直支持板１の開口側の側縁２ａ（鎖線図示）を長さＬ５だけ外方に延長して、幅Ｌ４で形成する（図１（ｂ）（ｅ））。
【００４６】
また、端部タイプの陳列ユニット２８の物品収容具２２は、標準タイプの陳列ユニット２６の物品収容具２２で、後板１５の開口側の縁１３ａ（鎖線図示）を延長して、下水平支持板１０の開口側の縁１１から突出しない程度で、縁１１付近に位置させてある。
【００４７】
(2) 上記以外は、前記標準タイプの陳列ユニット２６の構成と同様である。即ち、物品収容具２２は幅Ｄ１で、物品取出方向３５と壁面３２とが角度θとなるように傾斜して配置され、物品収容具２２は下水平支持板１０の略対角線方向に配置される。
【００４８】
また、垂直支持板１の下端部には、奥側の縁３から順に凹部５、凸部４、凹部５、凸部４が形成され、第１連結部７を形成する。また、垂直支持板１の上端部には、縁３から順に凸部４ａ、凹部５ａ、凸部４ａ、凹部５ａが夫々形成され、第２連結部８を形成する。凹部５、５ａ、凸部４、４ａは幅Ｄ２、長さＬ３で形成される。
【００４９】
［３］各部の寸法等
【００５０】
前記における各部の寸法は、例えば、下記の通りとする。  
・垂直支持板１の幅Ｌ１＝１８８ｍｍ  （陳列ユニット２６）
幅Ｌ４＝２４２ｍｍ  （陳列ユニット２８）
・上下水平支持板１０、２４の短辺Ｌ２＝８８ｍｍ
・上下水平支持板１０、２４の長辺Ｌ１＝１８８ｍｍ  （陳列ユニット２６）
長辺Ｌ４＝２４２ｍｍ  （陳列ユニット２８）
・上下水平支持板１０、２４間の高さＨ＝３２８ｍｍ
・陳列ユニット２８で延長部分Ｌ５＝５４ｍｍ  （陳列ユニット２８）
・物品収容具２２の前板１２の幅（３５方向）＝２１５ｍｍ
・後板１５の幅（３５方向）＝１８２ｍｍ  （陳列ユニット２６）
・後板１５の幅（３５方向）＝２３５ｍｍ  （陳列ユニット２８）
・奥板１８の幅（前板１２と後板１５との間隔）Ｄ１＝３５ｍｍ
・垂直支持板１の凸部４、４ａの幅Ｄ２＝４６ｍｍ、Ｌ３＝３０ｍｍ
・垂直支持板１の凹部５、５ａの幅Ｄ２＝４９ｍｍ程度、Ｌ３＝３１ｍｍ
また、各部材は、例えば、厚さ４ｍｍ程度の透明アクリル板から構成される。
【００５１】
［４］陳列棚３０の構成
【００５２】
(1) この発明の陳列棚は、陳列ユニット２６の複数を、垂直方向、水平方法、あるいは両方向に重ねて、構成する。この場合、物品取出口方向３５の端に位置する部分には、陳列ユニット２８を配置することが望ましい。また、この発明の陳列ユニット２６、２８を単独で陳列に使用することもできる。
【００５３】
(2) 水平方向に陳列ユニット２６を重ねる場合には、陳列ユニット２６、２６を並列して、最も左側に、端部タイプの陳列ユニット２８を配置する（図３（ａ））。並列した陳列ユニット２６、２６を重ねれば、隣接する陳列ユニット２６、２６で、右側の陳列ユニット２６の物品収容具２２の後板１５の開口側の縁１６が、左側に位置する陳列ユニット２６の物品収容具２２の前板１２の奥側の縁１３（即ち、奥板１８の前側の縁１９）に当接し、あるいは近傍に位置する。従って、隣接する陳列ユニット２６、２６で、物品取出方向３５と壁面３２との成す角θが同じであるので、「左側の陳列ユニット２６の前板１２」と「右側の陳列ユニット２６の後板１５」とが連続して、直線状に並ぶ（図３）。また、右側の陳列ユニット２６の物品収容具２２の前板１２の開口側の縁１３は、左側の陳列ユニット２６の下水平支持板１０の上面１０ａに位置する。
【００５４】
この重ねた場合の納まりは、左側の陳列ユニット２６が、端部タイプの陳列ユニット２８であっても同様である。
【００５５】
並べた陳列ユニット２６、２８をまとめて壁面３２に重ね、あるいは壁面３２に陳列ユニット２６、２８を重ねながら並べ、凸部４、４ａの透孔６からビスを打ち、壁面３２に陳列ユニット２６、２８を固定して、陳列棚３０を構成する（図３（ｂ）（ｃ））。
【００５６】
尚、陳列棚３０は、陳列ユニット２６、２８を組み合わせて構成したが、陳列ユニット２６のみ（図７（ａ）（ｆ）（ｅ）（ｇ））、あるいは陳列ユニット２８のみを組み合わせて（図７（ｄ））、陳列棚３０を構成することもできる。
【００５７】
(3) また、垂直方向に陳列ユニット２６を重ねる場合には、上下に位置する陳列ユニット２６、２６を重ねると、第１連結部７と第２連結部８とで「凹部５と凸部４の位置」と「凹部５ａと凸部４ａの位置」を違えてあるので、第１連結部７と第２連結部８とが、凹部５と凸部４ａ、凹部５ａと凸部４とが、夫々嵌合して、上下に位置する陳列ユニット２６、２６の水平方向の移動が規制される。
【００５８】
そして、上側に位置するの陳列ユニット２６の下水平支持板１０と下側の陳列ユニット２６の上水平支持板２４とが当接して重なる。このように重ねながら陳列ユニット２６、２６を壁面３２に固定して、陳列棚３０を構成する（図４）。この場合、壁面３２への固定は凸部４、４ａの透孔６からビス等を打ち込んで行うが、重ねた部分で凸部４、４ａが露出しないので、１つづつ陳列ユニット２６を壁面３２に固定しながら、上下に重ねる必要がある。
【００５９】
また、この際、陳列ユニット２６、２８で、垂直方向に重なった部分で凸部４、４ａが露出しないので、外観上の見栄えが良い（図４（ｂ）（ｃ））。
【００６０】
(4) また、陳列ユニット２６を重ねる方向は、水平方向、垂直方向を組み合わせて重ね、任意の広さの壁面に、必要量の陳列ユニット２６を使用して、陳列棚３０を構成することができる（図５、図７）。
【００６１】
(5) また、前記において、正面視で左側に開口２３を形成するように（即ち、物品取出方向３５が左向き）重ねたが、陳列ユニット２６、２８の上下を反転すれば、正面視で、右側に開口２３を配置した状態で、陳列ユニット２６、２８を同様に重ねて、陳列棚３０を構成することもできる（図６（ａ））。この場合、最も右側に、反転した陳列ユニット２８を配置する。
【００６２】
従って、この場合には、上側に下水平支持板１０が配置され、下側に上水平支持板２４が配置されるが、組み立てて陳列棚３０を構成する手順は同様である（図６（ａ））。また、開口２３を右側に設定して水平方向に重ねた陳列ユニット群２６Ｂを、開口２３を左に設定して水平方向に重ねた陳列ユニット群２６Ａとを、上下に重ねて、陳列棚３０を構成することもできる（図６（ｂ））。
【００６３】
(6) このように構成した陳列棚３０は、例えば、図書館や書店などの面陳の雑誌棚として、書籍・雑誌などの物品３４を物品収容具２２内に収容して陳列できる（図１（ｅ）、図２（ｅ）、図３（ｂ）（ｃ）鎖線図示３４）。また百貨店・スーパー・旅行代理店などでは、カタログ、ちらし、パンフレットなどの物品３４を物品収容具２２内に収容して陳列できる。この場合、前板１２を透明素材（例えばアクリル等）で構成したので、物品収容具２２内に収容した物品３４の表面を外から目視できる。
【００６４】
［５］他の実施例
【００６５】
(1) 前記実施例において、物品取出方向３５と支持壁面３２とが成す角θは、１７°程度としたが、収容する雑誌類の重量、陳列ユニット２６、２８の強度、展示方法などにより異なるが、概ね１０〜３０°程度が適当であり、正面側からの見やすさと求める収容量とにより決定する。
【００６６】
尚、収容する物品３４は、雑誌類に限らず、ＣＤ・ＤＶＤなどのソフトウエア、プログラムソフトウエアのパッケージ、なども可能であり、収容する物品３４などにより、角度θの他、各種寸法を適宜変更する（図示していない）。
【００６７】
(2) また、前記実施例において、最も下段に配置する陳列ユニット２６、２８は、下側の第１連結部７の凸部４を省略することもできる。同様に、最も上段に配置する陳列ユニット２６、２８は、上側の第２連結部８の凸部４ａを省略することもできる。また、夫々の場合、凸部４、４ａのみでなく、凸部４、４ａと凹部５、５ａの両方を省略することもできる（いずれも図示していない）。
【００６８】
また、中間位置に配置される陳列ユニット２６、２８であっても、壁面３２に固定できれば、第１連結部７の凸部４の透孔６、第２連結部８の凸部４ａの透孔６のいずれか一方の透孔６は省略することもできる（図示していない）。
【００６９】
(3) また、前記実施例において、固定手段として、凸部４、４ａに透孔６を開けて、構成したが、垂直支持板１に、ビス用の透孔を開けて、構成することもできる（図示していない）。また、固定手段は、ビス用の透孔に代えて、例えば、垂直支持板１の裏面に面ファスナー片を固定して、支持壁面３２に該面ファスナー片と係合できる面ファスナー片を固定することもできる（図示していない）。
【００７０】
(4) また、前記実施例において、垂直支持板１は省略することもできる（図示していない）。この場合には、例えば、上下水平支持板１０、２４に凸部４、４ａ及び、凸部４、４ａと嵌合する凹部５、５ａを形成する（図示していない）。
【００７１】
(5) また、前記実施例において、上下水平支持板１０、２４は長方形に形成したが、正方形、ひし形、平行四辺形等とすることもできる。更に、物品収容具２２を固定できれば、円形、半円形等その形状は任意である（いずれも図示していない）。
【００７２】
(6) また、前記実施例において、上水平支持板２４は省略することもできる（図示していない）。
【００７３】
(7) また、前記実施例において、長方形の凹部５、５ａ、凸部４、４ａから第１第２連結部７、８を構成したが、互いに嵌合できれば、三角形等凸部及び凹部の形状は任意である。また、第１第２連結部７、８を形成すれば、上下に位置する陳列ユニット２６、２６の移動が規制され、位置合わせが容易になるが、他に支持壁面２との固定手段を有すれば、第１第２連結部７、８を省略することもできる（図示していない）。第１第２連結部７、８を省略すると、上下方向の陳列ユニットを自由な位置に配置することができる。
【００７４】
(8) また、前記実施例において、陳列ユニット２６、２６を重ねた際に、「隣接する陳列ユニット２６、２６で、右側の陳列ユニット２６の物品収容具２２の後板１５の開口側の縁１６が、左側に位置する陳列ユニット２６の物品収容具２２の前板１２の奥側の縁１３（即ち、奥板１８の前側の縁１９）に当接し、あるいは近傍に位置する。」ように形成したので、水平方向で隣接する陳列ユニット２６、２６（２８）で、左側の前板１２と右側の後板１５とが面一に形成されので、収容する物品３４が引っかからずに、滑らかに出し入れができるが、収容する物品３４の出し入れに支障が無い範囲であれば、多少の誤差は許容できる。例えば、右側の後板１５の開口側の縁１３ａが垂直支持板１側に多少ずれていた場合に等は許容できる（図示していない）。
【図面の簡単な説明】
【００７５】
【図１】この発明の陳列ユニットの端部タイプで、（ａ）は左側面図、（ｂ）は正面図、（ｃ）は右側面図、（ｄ）は平面図、（ｅ）はＡ−Ａ断面図である。
【図２】この発明の陳列ユニットの標準タイプで、（ａ）は左側面図、（ｂ）は正面図、（ｃ）は右側面図、（ｄ）は平面図、（ｅ）はＢ−Ｂ断面図である。
【図３】この発明の陳列棚で、陳列ユニットの水平方向に連結を説明する図で、（ａ）は連結前の横断面図、（ｂ）は連結後の横断面図、（ｃ）は連結後の正面図を夫々表す。
【図４】この発明の陳列棚で、陳列ユニットの垂直方向に連結を説明する図で、（ａ）は連結前の縦断面図（物品収容具省略）、（ｂ）は連結後の縦断面図（物品収容具省略）、（ｃ）は連結後の正面図を夫々表す。
【図５】この発明の陳列棚で、垂直方向、水平方向の連結を説明する正面図を表す。
【図６】この発明の他の連結方法により陳列棚を構成する場合で、（ａ）は横断面図、（ｂ）は他の連結方法を説明する正面図である。
【図７】（ａ）〜（ｉ）は、この発明の陳列ユニットの組み合わせてを説明する概略した正面図である。
【図８】陳列ユニットの背面図で、（ａ）は端部タイプ、（ｂ）は標準タイプである。
【符号の説明】
【００７６】
１    垂直支持板
２    垂直支持板の側縁（開口側）
３    垂直支持板の側縁（奥側）
４、４ａ    凸部
５、５ａ    凹部
６    透孔（固定手段）
７    第１連結部
８    第２連結部
１０  下水平支持板
１０ａ  下水平支持板の上面
１１  下水平支持板の開口側の縁
１１  下水平支持板の奥側の縁
１１  下水平支持板の前側の縁
１１  下水平支持板の後側の縁
１２  前板
１３  前板の開口側の縁
１４  前板の奥側の縁
１５  後板
１６  後板の開口側の縁
１７  後板の奥側の縁
１８  奥板
１９  奥板の前側の縁
２０  奥板の後側の縁
２１  前板の切欠き
２２  物品収容具
２３  開口
２４  上水平支持板
２６  陳列ユニット（標準タイプ）
２８  陳列ユニット（端部タイプ）
３０  陳列棚
３２  支持壁面
３４  物品
３５  物品取出方向
【図１】
2005218576.tif 000003
【図２】
2005218576.tif 000004
【図３】
2005218576.tif 000005
【図４】
2005218576.tif 000006
【図５】
2005218576.tif 000007
【図６】
2005218576.tif 000008
【図７】
2005218576.tif 000009
【図８】
2005218576.tif 000010